(57)【要約】【課題】測定条件を認識したうえで生体データを参照することができる生体情報測定装置、生体情報表示方法、及びプログラムを提供すること。【解決手段】測定部１１０は、被験者の生体データを測定する。センサ１９０は、振動の大きさを検出する。表示部１６０は、測定部１１０が測地した生体データの測定波形を表示する。制御部１５０は、表示部１６０に表示する表示画面を生成する。制御部１５０は、センサ１９０が検出した振動の大きさに基づいて、表示画面における測定波形に関する表示効果を変化させる。【選択図】図８
2018164819.tif 000002
【特許請求の範囲】
【請求項１】
被験者の生体データを測定する測定部と、
振動の大きさを検出するセンサと、
前記測定部が測定した生体データの測定波形を表示する表示部と、
前記表示部に表示する表示画面を生成する制御部と、を備え、
前記制御部は、前記センサが検出した振動の大きさに基づいて、前記表示画面における前記測定波形に関する表示効果を変化させる、生体情報測定装置。
【請求項２】
前記制御部は、前記センサが検出した振動の大きさに基づいて、前記測定波形の背景色の濃淡を変化させる、ことを特徴とする請求項１に記載の生体情報測定装置。
【請求項３】
前記制御部は、前記センサが検出した振動の大きさに基づいて、前記測定波形の線種または線幅を変化させる、ことを特徴とする請求項１に記載の生体情報測定装置。
【請求項４】
被験者の生体データを測定する測定ステップと、
振動の大きさを検出する振動検出ステップと、
前記測定ステップにおいて測定した生体データの測定波形を表示する表示ステップと、
前記表示ステップにおいて表示する表示画面を生成する制御ステップと、を備え、
前記制御ステップでは、前記振動検出ステップにおいて検出した振動の大きさに基づいて、前記表示画面における前記測定波形に関する表示効果を変化させる、生体情報表示方法。
【請求項５】
コンピュータに、
被験者の生体データを測定する測定ステップと、
振動の大きさを検出する振動検出ステップと、
前記測定ステップにおいて測定した生体データの測定波形を表示する表示ステップと、
前記表示ステップにおいて表示する表示画面を生成する制御ステップと、を実行させ、
前記制御ステップでは、前記振動検出ステップにおいて検出した振動の大きさに基づいて、前記表示画面における前記測定波形に関する表示効果を変化させる、
プログラム。
【発明の詳細な説明】
【技術分野】
【０００１】
本発明は生体情報測定装置、生体情報表示方法、及びプログラムに関する。
【背景技術】
【０００２】
近年、患者の生体データ（心電図、呼吸、体温等）を測定する様々な種類の生体情報測定装置が開発されてきている。例えば生体情報測定装置として、いわゆるベッドサイドモニタ、トランスポートモニタ、除細動器、テレメータ等が挙げられる。
【０００３】
これらの生体情報測定装置は、装置毎に測定条件が大きく異なる。例えばベッドサイドモニタは、主に病院内の病室に配置され、移動することなく患者の生体データを測定する。一方、トランスポートモニタは、患者のベッド搬送等（すなわち移動した状態）で使用されることが多い。また除細動器は、手術室等で使用されるケースもあれば、救急車等に備え付けられて使用されるケースも多い。
【０００４】
ところで、これらの生体情報測定装置の表示画面は、ユーザ（主に医師や看護師）に患者の状態（各種パラメータの測定値や波形）をわかりやすく伝えられることが好ましい。以下、生体情報測定装置における画面表示に関する先行技術を説明する。
【０００５】
例えば特許文献１は、心電図計測に関する画像と血圧脈波に関する画像の背景色を異なる色にする技術が開示されている。また特許文献２には、Ｘ線ＣＴや超音波診断を対象とし、撮影モードに応じて色調を変化させる画像診断装置が開示されている。
【先行技術文献】
【特許文献】
【０００６】
【特許文献１】特開２０１４−６１１８１号公報
【特許文献２】特開２００９−１３９６２４号公報
【発明の概要】
【発明が解決しようとする課題】
【０００７】
上述のように生体情報測定装置は、様々な種類があるため、その測定条件によって測定値や測定波形の正確性が異なる。例えばトランスポートモニタを用いて移動時に測定した各種パラメータ値（例えば心電図）と、ベッドサイドモニタで患者静止時に測定した各種パラメータ値（例えば心電図）と、では一般的に後者の測定精度が良い。
【０００８】
近年では、生体情報測定装置のネットワーク化等が進み、他の生体情報測定装置で測定した測定値や測定波形を使用することが可能となっている。そのため、生体情報測定装置の動きがない状態で測定した生体データと、動きがある状態で測定した生体データと、が同一表示画面上に混在する状況が生じえる。また生体情報測定装置が高機能機種であるか汎用機種であるかによっても生体データの測定精度が異なることが考えられる。この場合、生体情報測定装置のユーザは、測定値や測定波形のみならず測定条件（測定機器の種別、振動の状態、測定機器の機能、測定時の環境（屋外で測定したか）等）を把握できることが好ましい。
【０００９】
しかしながら、上述した特許文献１及び２を含む既存の技術では、測定条件を把握したうえで生体データを参照することについて何らの示唆、教示がない。すなわち、測定条件を認識したうえで生体データを参照することができないため、ユーザが誤った診断を行ってしまう恐れがあるという課題があった。
【００１０】
本発明は、上述した課題を鑑みてなされたものであり、測定条件を認識したうえで生体データを参照することが出来る生体情報測定装置、生体情報表示方法、及びプログラムを提供することを主たる目的とする。
【課題を解決するための手段】
【００１１】
本発明にかかる生体情報測定装置の一態様は、
被験者の生体データを測定する測定部と、
振動の大きさを検出するセンサと、
前記測定部が測定した生体データの測定波形を表示する表示部と、
前記表示部に表示する表示画面を生成する制御部と、を備え、
前記制御部は、前記センサが検出した振動の大きさに基づいて、前記表示画面における前記測定波形に関する表示効果を変化させる、ものである。
【００１２】
制御部は、振動データを基に、生体データの測定波形の表示効果を変化させている。すなわち制御部は、測定した振動の大きさに応じて生体データの表示効果を変化させている。これによりユーザは、生体データの測定値や波形と共に、どのような測定条件（震動が大きい状態であるか否か）で測定が行われたかも把握でき、より正確な被験者の状態把握を行うことができる。
【発明の効果】
【００１３】
本発明では、測定条件を認識したうえで生体データを参照することができる生体情報測定装置、生体情報表示方法、及びプログラムを提供する。
【図面の簡単な説明】
【００１４】
【図１】実施の形態１にかかる生体情報測定システム１の構成を示すブロック図である。
【図２】実施の形態１にかかる生体情報測定装置１０の構成を示すブロック図である。
【図３】実施の形態１にかかる生体情報測定システム１の動作の流れを示すタイミングチャートである。
【図４】実施の形態１にかかる表示画面の一例を示す概念図である。
【図５】実施の形態１にかかる生体情報測定装置１０の構成を示すブロック図である。
【図６】実施の形態２にかかる属性データの例を示す図である。
【図７】実施の形態２にかかる対応関係テーブルを示す図である。
【図８】実施の形態３にかかる生体情報測定装置１０の構成を示すブロック図である。
【図９】実施の形態３にかかる振動データと生体データの関係を示す図である。
【図１０】実施の形態３にかかるにかかる表示画面の一例を示す概念図である。
【発明を実施するための形態】
【００１５】
＜実施の形態１＞
以下、図面を参照して本発明の実施の形態について説明する。図１は、本実施の形態にかかる生体情報測定システム１の構成を示す図である。また図２は、生体情報測定システム１を構成する生体情報測定装置１０の内部構成を示すブロック図である。
【００１６】
はじめに図１を参照する。図示するように生体情報測定システム１は、生体情報測定装置１０と生体情報測定装置２０を含む。なお、図１では２つの生体情報測定装置（１０，２０）を示しているが、必ずしもこれに限られず３つ以上の生体情報測定装置が存在する構成も考えられる。
【００１７】
生体情報測定装置２０は、例えば除細動器であり、被験者（患者）の生体データを測定する装置である。ここで生体データとは、例えば心電図（ＥＣＧ）、心拍数、血圧、体温、動脈血酸素飽和度、心拍出量、脈拍数等のデータである。なお生体情報測定装置２０は、これらの生体データ（心電図等）の一部または全部を測定するものであれば良く、トランスポートモニタやベッドサイドモニタ等であってもよい。
【００１８】
生体情報測定装置２０は、生体データの送受信機能（例えば赤外線やＢｌｕｅｔｏｏｔｈ（登録商標）による通信機能）を有し、測定した生体データを生体情報測定装置１０に送信する。すなわち生体情報測定装置２０は、被験者の生体データを測定して生体情報測定装置１０に送信する送信元測定装置として動作する。
【００１９】
生体情報測定装置１０は、生体情報測定装置２０から被験者の生体データを受信して表示するとともに、被験者の生体データの測定及び表示を行う。生体情報測定装置１０は、例えばベッドサイドモニタであり、患者の各種生体データ（心電図（ＥＣＧ）、心拍数、血圧、体温、動脈血酸素飽和度等）を測定する。本実施の形態では、被験者が生体情報測定装置２０から生体情報測定装置１０に付け替えられることを想定している。例えば救急車内では除細動器（生体情報測定装置２０）により被験者の生体データを測定し、病院到着後に被験者を除細動器（生体情報測定装置２０）から生体情報モニタ（生体情報測定装置１０）に付け替えることを想定している。
【００２０】
以下、図２を参照して生体情報測定装置１０の詳細な構成について説明する。生体情報測定装置１０は、測定部１１０、送信部１２０、送信用アンテナ１２１、受信部１３０、受信用アンテナ１３１、記憶部１４０、制御部１５０、表示部１６０、スピーカ１７０、及び操作部１８０を有する。
【００２１】
測定部１１０は、被験者に装着された電極やトランスデューサ、プローブ等（図示せず）を介して各種の生体データを測定する。ここで生体データとは、上述のように心電図（ＥＣＧ）、心拍数、血圧、体温、動脈血酸素飽和度等に関するものである。測定部１１０は、取得した各種の生体データを制御部１５０及び送信部１２０に供給する。なお測定部１１０は、各種フィルタやＡ／Ｄ（Analog/Digital）変換器等も備えているものとする。
【００２２】
送信部１２０は、制御部１５０からの制御に応じて、他の装置に被験者の生体データを送信用アンテナ１２１を介して送信する。
【００２３】
受信部１３０は、他の装置からの各種データ（上述の生体情報測定装置２０から送信される生体データを含む）を受信用アンテナ１３１を介して受信し、受信データを制御部１５０に供給する。なお図２では送信用アンテナ１２１と受信用アンテナ１３１の双方があるものとして説明したが、送受信機能を有する単一のアンテナを設ける構成であってもよい。
【００２４】
記憶部１４０は、生体情報測定装置１０に備えられた記憶装置であり、例えばハードディスクや各種メモリが含まれる。なお記憶部１４０は、生体情報測定装置１０に内蔵されるものに限られず、生体情報測定装置１０に着脱可能な装置（例えばＵＳＢ（Universal Serial Bus）メモリ等）であってもよい。
【００２５】
制御部１５０は、記憶部１４０から動作用のプログラムを適宜読み出して実行する。制御部１５０は、生体情報測定装置１０内の各種処理部を制御する。制御部１５０は、例えば測定部１１０が取得した生体データを解析して、各種のアラーム（上下限アラーム、不整脈アラーム、テクニカルアラーム）の鳴動制御や表示制御等を行う。
【００２６】
表示部１６０は、生体情報測定装置１０の筐体上に設けられた表示装置であり、例えば液晶ディスプレイ等及びディスプレイの制御回路等により構成される。表示部１６０は、表示画面上に生体データの波形や数値データを表示する。表示部１６０に表示される表示画面は、制御部１５０によって制御（生成）される。制御部１５０は、生体データの表示画面を生成する際に、他の装置において取得した生体データを表示するか否か（換言すると受信部１３０が受信した生体データであるか否か）に応じて、表示効果を変更するものである。制御部１５０による表示制御の例は、図４等を参照して後述する。
【００２７】
スピーカ１７０は、制御部１５０の制御に応じて各種アラーム等の出力を行う。
【００２８】
操作部１８０は、ユーザからの入力を受け付ける各種の入力デバイスである。操作部１８０は、例えば生体情報測定装置１０の筐体上に設けられたボタンやツマミ等である。なお操作部１８０は、タッチパネルのように表示部１６０と一体化された構成であってもよい。
【００２９】
続いて図３を参照して、生体情報測定システム１の動作の流れを説明する。図３では生体情報測定装置１０が生体情報モニタ（ベッドサイドモニタ）であり、生体情報測定装置２０が除細動器であるものとする。はじめに除細動器（生体情報測定装置２０）が被験者と電極を介して接続する。除細動器（生体情報測定装置２０）は、被験者の生体データを測定し、測定した生体データを記憶する（Ｓ１）。その後に除細動器（生体情報測定装置２０）は、ユーザの操作（例えばボタン等の操作）に応じて測定処理を停止する（Ｓ２）。なお除細動器（生体情報測定装置２０）は、電極外れ等を自動的に検出して測定処理を停止してもよい（Ｓ２）。
【００３０】
除細動器（生体情報測定装置２０）は、測定した生体データを生体情報モニタ（生体情報測定装置１０）に転送する（Ｓ３）。生体情報モニタ（生体情報測定装置１０）は、除細動器（生体情報測定装置２０）からの生体データを受信する（Ｓ３）。なお生体データの送受信の前に認証処理を行ってもよい。またユーザは、被験者から除細動器（生体情報測定装置２０）の電極等を取り外し、被験者と生体情報モニタ（生体情報測定装置１０）を接続した状態にする。その後に生体情報モニタ（生体情報測定装置１０）は、被験者の生体データの測定を開始する（Ｓ４）。これに加えて生体情報モニタ（生体情報測定装置１０）は、生体データの表示処理を行う（Ｓ４）。
【００３１】
この表示の具体例を図４を参照して説明する。上述のように生体情報モニタ（生体情報測定装置１０）には、除細動器（生体情報測定装置２０）から生体データが供給される。生体情報測定装置１０内の制御部１５０は、生体データが受信部１３０から受信したことが分かるように記憶部１４０に格納する（例えばフラグを設定して生体データを格納する）。また制御部１５０は、測定部１１０が測定した生体データを記憶部１４０に格納する。
【００３２】
制御部１５０は、記憶部１４０から生体データを適宜読み出し、表示部１６０に表示する表示画面を生成する。この際に制御部１５０は、受信部１３０が受信した生体データであるか否かに基づいて、表示画面における生体データの表示効果を変化させて表示する。例えば図４に示すように、制御部１５０は、除細動器（生体情報測定装置２０）から受信した生体データを示す波形４０と、測定部１１０が測定した生体データを示す波形４１の背景色を異なるものにした表示画面を生成する。また制御部１５０は、各波形（４０、４１）に対応する生体データの測定値（数値）の背景色を変化させて表示してもよい。
【００３３】
ユーザは、この表示画面を見ることにより、生体データの測定値だけではなく、どのような測定条件で生体データを取得したかを容易に認識することができる。すなわちユーザは、背景色のついた波形４０が他の装置で測定した生体データであることを認識できる。
【００３４】
なお図４のように背景色を変更することは、表示効果を変更することの一例を示すものであり、この他の表示効果の変更を行ってもよい。例えば制御部１５０は、受信部１３０が受信した生体データであるか否かに応じて、波形の線種（点線、一点破線、太線等）や線色または太さを変えてもよく、一方の波形のみを点滅させる、各波形（波形４０、波形４１）を異なる色の枠線で囲む、等のその他の表示効果を用いてもよい。
【００３５】
続いて本実施の形態にかかる生体情報測定システム１及び生体情報測定装置１０の効果について説明する。生体データの測定条件として、どの装置で測定を行ったかということは重要である。装置によっては、移動しながら使用する場合もあり、汎用機種であるか高機能機種であるかによっても測定精度が異なる。そのためユーザは、生体データと共に測定した装置の情報を参照できることが好ましい。
【００３６】
上述のように生体情報測定装置１０は、被験者の生体データを測定するとともに、他の装置（生体情報測定装置２０）から被験者の生体データを受信する構成である。生体情報測定装置１０内の制御部１５０は、自装置で測定した生体データであるか否か（換言すると受信部１３０が受信した生体データであるか否か）を基に、表示画面における生体データの表示効果を変化させている（例えば図４）。すなわち制御部１５０は、測定した装置に応じて生体データの表示効果を変化させている。これによりユーザは、生体データの測定値や波形と共に、どのような測定条件（本例では他の装置で測定したか否か）で測定が行われたかも把握できる。たとえば揺れの大きいような状況で測定された生体データについては、ノイズが多いことを前提として生体データを参照すればよい。これにより正確な被験者の状態把握を行うことができる。
【００３７】
特に図４に示すように背景色を変化させる場合、ユーザは、瞬時に測定された環境（装置）を認識することが出来る。これにより、被験者の状態を正確かつ素早く把握することができる。
【００３８】
（変形例）
実施の形態１の変形例について図５を参照して説明する。この生体情報測定装置１０は、測定部１１０を含むデータ取得ユニット３０と着脱可能に構成されている。データ取得ユニット３０は、図示しないＣＰＵやメモリ等を有し、図示しない電極やセンサ等を介して被験者の生体データを取得する。またデータ取得ユニット３０は、生体情報測定装置１０への装着時には制御部１５０に対して取得した生体データを供給する。
【００３９】
制御部１５０は、データ取得ユニット３０が生体情報測定装置１０から取り外された状態で取得した生体データに対し、受信部１３０から取得した生体データと同様の表示効果を与えてもよい（つまりデータ取得ユニット３０が生体情報測定装置１０から取り外された状態で取得した生体データは、受信部１３０から受信した生体データとして扱ってもよい。）。例えば制御部１５０は、以下のように表示効果を定めてもよい。
・データ取得ユニット３０が取り外された状態で取得した生体データ：（背景色＝グレー）
・データ取得ユニット３０が接続した状態で取得した生体データ：（背景色＝黒）
・受信部１３０を介して取得した生体データ：（背景色＝グレー）
【００４０】
なお、上記の配色は一例であり、以下のようにデータ取得ユニット３０が取得した生体データであれば、着脱状態に問わずに表示効果を定めてもよい。
・データ取得ユニット３０が取り外された状態で取得した生体データ：（背景色＝黒）
・データ取得ユニット３０が接続した状態で取得した生体データ：（背景色＝黒）
・受信部１３０を介して取得した生体データ：（背景色＝グレー）
【００４１】
また、上記３つの状態においてそれぞれ表示効果を変化させるようにしてもよい。
・データ取得ユニット３０が取り外された状態で取得した生体データ：（背景色＝グレー）
・データ取得ユニット３０が接続した状態で取得した生体データ：（背景色＝黒）
・受信部１３０を介して取得した生体データ：（背景色＝濃紺）
【００４２】
この配色設定は、ユーザがモード設定により決定することが出来るようにしてもよい。勿論、背景色の設定ではなく、他の表示効果（波形の線種を変える、波形の太さを変える、各波形を異なる色の枠線で囲む、等。）を用いてもよい。
【００４３】
＜実施の形態２＞
続いて本実施の形態２にかかる生体情報測定システム１の構成について、実施の形態１と異なる点を以下に説明する。本実施の形態では、生体情報測定装置１０内の制御部１５０が生体情報測定装置２０から送信される属性データを考慮して表示効果を変化させることを特徴とする。
【００４４】
生体情報測定システム１の構成は、図１と同様である。ただし本実施の形態では、生体情報測定装置２０が後述する属性データを生体データと共に送信する点が異なる。
【００４５】
また生体情報測定装置１０の内部構成は、図２と同様である。ただし本実施の形態では、制御部１５０が属性データを考慮して表示効果を変化させる。
【００４６】
はじめに属性データの例を図６を参照して説明する。属性データとは、生体情報測定装置２０（送信元測定装置）の各種属性（例えば装置用途、装置ＩＤ、装置型式、等）を示すものである。例えば図６では、装置の用途として搬送用のモニタであることを示す（“搬送用”）が記載されている。生体情報測定装置２０は、生体データと共に属性データ（図６）を生体情報測定装置１０に送信する。なお図６に示す属性データのデータ形式はあくまでも一例であり、任意のデータフォーマット（ＣＳＶ形式等）であればよい。また属性データは、自装置についても同様に定義されていてもよい。つまり生体情報測定装置１０内の記憶部１４０に生体情報測定装置１０の用途や型番等を示す属性データが定義されていてもよい。
【００４７】
生体情報測定装置１０内の受信部１３０は、生体データと共に属性データ（図６）も合わせて受信する。制御部１５０は、受信した生体データと属性データ（図６）を関連付けて記憶部１４０に格納する。制御部１５０は、生体データと属性データ（図６）を読み出し、属性データに応じて表示画面における生体データの表示効果を変更する。
【００４８】
例えば記憶部１４０に、図７（Ａ）や図７（Ｂ）に示すような対応関係テーブルを規定されているものとする。制御部１５０は、この対応関係テーブル（図７（Ａ）または図７（Ｂ））を参照して、各生体データを表示する表示画面を生成する。図７（Ａ）は、受信部１３０の受信処理が行われたか否か、及び属性データ（図６）の「用途」、を考慮して表示効果を決定する場合の対応関係テーブルの例である。例えば受信部１３０が受信し、属性データとして「搬送用」が定義されている生体データは、背景色をグレーにして波形が表示画面上に表示される。
【００４９】
図７（Ｂ）は、属性データ（図６）のみを考慮して表示効果を決定する場合の対応関係テーブルの例である。例えば用途が「搬送用」の装置で測定した生体データの波形の背景色はグレーとなり、自装置（測定部１１０）が測定した生体データの波形の背景色は濃紺となる。
【００５０】
なお図７（Ａ）及び図７（Ｂ）の例では、各装置の用途（属性データの「用途」タグ）に対して表示効果を定義したが必ずしもこれに限られない。例えば、装置ＩＤと表示効果の対応関係を規定してもよく、装置の型番と表示効果の対応関係を規定してもよい。また対応関係テーブル（図７（Ａ）及び図７（Ｂ））は、ユーザが設定画面から設定変更できるようにしてもよい。
【００５１】
なお表示画面の例は図４と同様であるため、詳細な説明は省略する。
【００５２】
続いて本実施の形態にかかる生体情報測定システム１及び生体情報測定装置１０の効果について説明する。本実施の形態では、制御部１５０は属性データ（装置ＩＤ、装置の用途、装置の種別等）を基に、表示画面における生体データの表示効果を変化させている。例えば装置の用途が搬送用や救急車両のように生体データにノイズが乗りやすい環境の場合、生体データの表示波形の背景色を通常とは異なる色にして表示する。これにより、ユーザは、より詳細な測定条件を把握しつつ、生体データの変化を参照することができる。
【００５３】
＜実施の形態３＞
続いて本実施の形態３にかかる生体情報測定装置１０の構成について、実施の形態１及び２と異なる点を以下に説明する。本実施の形態では、生体情報測定装置１０が測定条件として生体データの測定中に生じた振動を扱う構成である。つまり生体情報測定装置１０が生体データの測定中に生じた振動を検知し、当該振動の大きさに応じて表示効果を変化させることを特徴とする。
【００５４】
図８は、本実施の形態にかかる生体情報測定装置１０の構成を示すブロック図である。本実施の形態にかかる生体情報測定装置１０は、センサ１９０を有する構成である。なお生体情報測定装置１０は、図示するように通信関係の処理部（送信部１２０、送信用アンテナ１２１、受信部１３０、受信用アンテナ１３１）を有さない構成でもよく、図２と同様に通信関係の処理部を有する構成であってもよい。
【００５５】
センサ１９０は、生体情報測定装置１０に生じた振動の大きさを検知するデバイスである。センサ１９０は、例えば加速度センサ、圧電振動センサ等であればよい。センサ１９０は、測定部１１０による生体データの測定中に、振動の大きさを示すデータ（振動データ）を測定して記憶部１４０に格納する。
【００５６】
図９は、センサ１９０が測定した振動データと、測定部１１０が測定した生体データと、の関係を示す図である。図示するように時刻Ｔ１〜Ｔ２までの間に振動が生じており、時刻Ｔ２以降は振動が生じていないことがわかる。
【００５７】
制御部１５０は、図９に示すデータ（振動データ、生体データ）を用いて表示部１６０に表示する表示画面を生成する。制御部１５０は、振動の大きさに応じて表示画面における生体データの表示効果を変化させる。例えば制御部１５０は、図１０に示すように生体データを示す波形の背景色の濃淡を変化させる。図１０の例では、振動が大きい場合には背景色の濃度が大きくなるような表示画面を生成している。図示するように、単色による変化ではなく、振動の大きさに応じて背景色がグラデーション変化するようにしてもよい。
【００５８】
続いて本実施の形態にかかる生体情報測定装置１０の効果について説明する。上述したように生体情報測定装置１０は、生体データの測定時に生じた振動の大きさを検知し、当該振動の大きさに応じて表示画面における生体データの表示効果を変化させている。ユーザは、当該表示画面（図１０）を参照することにより、生体データの波形や測定値のみならず、測定時にどの程度の揺れが生じていたかを把握することができる。
【００５９】
また振動の大きさは数値データとして取得できるため、図１０のように当該振動の大きさ（数値データ）の変化に応じて背景色の濃淡を細かく変化させることも可能である（グラデーション変化させることも可能である）。ユーザは、当該画面（図１０）を参照することにより、振動の大きさの微妙な変化も即座に把握でき、より正確な患者の診断を行うことができる。
【００６０】
なお振動の大きさに応じて、背景色ではなく波形の線種や線幅等を変化させるといった表示効果を用いることも勿論可能である。
【００６１】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００６２】
なお上述の制御部１５０の処理は、生体情報測定装置１０内で動作するコンピュータプログラムとして実現することができる。ここでプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６３】
１   生体情報測定システム
１０  生体情報測定装置
２０  生体情報測定装置
３０  データ取得ユニット
４０、４１  波形
１１０  測定部
１２０  送信部
１２１  送信用アンテナ
１３０  受信部
１３１  受信用アンテナ
１４０  記憶部
１５０  制御部
１６０  表示部
１７０  スピーカ
１８０  操作部
１９０  センサ
【図１】
2018164819.tif 000003
【図２】
2018164819.tif 000004
【図３】
2018164819.tif 000005
【図４】
2018164819.tif 000006
【図５】
2018164819.tif 000007
【図６】
2018164819.tif 000008
【図７】
2018164819.tif 000009
【図８】
2018164819.tif 000010
【図９】
2018164819.tif 000011
【図１０】
2018164819.tif 000012